(57)【要約】【課題】    本発明は、飾る物品の量を増大させると共に、収納時のコンパクト化を図ったひな飾り台を提供することを目的としている。【解決手段】    ひな飾り台１は、ひな人形を載せる台11を有する台本体10と、この台本体10の底部に位置し、該底部の全体に亙って設けられた底板12と、この底板12と台11との間に位置し、後縁部20ａが台本体10の内に、前縁部20ｂが台本体10の外に位置すると共に、底板12の面と台11の面に平行にスライド自在であって、台11の前縁部11ｂより前に突出自在に設けられた台11の搭載面積より小さい補助台20とを備えている．【選択図】図１
2005329036.tif 000002
【特許請求の範囲】
【請求項１】
ひな人形を載せる台を有する台本体と、
この台本体の底部に位置し、該底部の全体に亙って設けられた底板と、
この底板と前記台との間に位置し、後縁部が前記台本体の内に、前縁部が前記台本体の外に位置すると共に、前記底板の面と前記台の面に平行にスライド自在であって、前記台の前縁部より前に突出自在に設けられた前記台の搭載面積より小さい補助台と、
を備えていることを特徴とするひな飾り台。
【請求項２】
底板に取り付けられ、前記底板の台本体内に突出し、補助台の動きを規制するストッパ−と、
前記補助台の裏面に溝が設けられ、前記補助台は前記溝に沿ってスライドし、前記ストッパ−が前記溝の壁に当接して、前記補助台の動きが規制されて、前記補助台が前記台本体から離脱するのを防止することを特徴とする請求項１記載のひな飾り台。
【発明の詳細な説明】
【技術分野】
【０００１】
本発明は、ひな飾り台に係り、特に、飾る物品の量を増大させると共に、収納時のコンパクト化を図ったひな飾り台に関する。
【背景技術】
【０００２】
ひな飾り台として、例えば、お内裏様とおひな様を並び設ける平飾り用のひな飾り台がある（例えば、特許文献１参照）。
これは、お内裏様とおひな様を載せる飾り板（２）と、この飾り板（２）より一回り大きい受台（１）とを有している。
【特許文献１】実開平５−７１８５号公報
【発明の開示】
【発明が解決しようとする課題】
【０００３】
上述のひな飾り台にあっては、お内裏様とおひな様以外のひな人形、雪洞、花、菱餅等を載せようとすれば、受台（１）を大きくすれば良い。
しかしながら、受台（１）を大きくしようとすれば、ひな飾り台をしまうとき、受台（１）は大きいまま収納しなければならず、収納スペ−スを大きく取るという問題点が生じた。
また、ひな飾り台の使用時にあっては、特許文献１の図２、図４、図７に示されるように、受台（１）の底板は空洞になっているため、ひな飾り台を載せる台の表面積が空洞より大きいものでなければ、ひな飾り台を載せることができないという問題点が生じた。
本発明は、上記問題点を除去するようにしたひな飾り台を提供するものである。
【課題を解決するための手段】
【０００４】
上記目的を達成するために、請求項１記載のひな飾り台は、ひな人形を載せる台を有する台本体と、この台本体の底部に位置し、該底部の全体に亙って設けられた底板と、この底板と前記台との間に位置し、後縁部が前記台本体の内に、前縁部が前記台本体の外に位置すると共に、前記底板の面と前記台の面に平行にスライド自在であって、前記台の前縁部より前に突出自在に設けられた前記台の搭載面積より小さい補助台と、
を備えている。
【０００５】
請求項２記載のひな飾り台は、請求項１記載のひな飾り台において、底板に取り付けられ、前記底板の台本体内に突出し、補助台の動きを規制するストッパ−と、前記補助台の裏面に溝が設けられ、前記補助台は前記溝に沿ってスライドし、前記ストッパ−が前記溝の壁に当接して、前記補助台の動きが規制されて、前記補助台が前記台本体から離脱するのを防止するものである。
【発明の効果】
【０００６】
従来のような底板が空洞になっているものにあっては、ひな飾り台を載せる、例えば、サイドボ−ドの幅等に制約を受けるが、請求項１記載のひな飾り台によれば、底板は底部の全体に亙って設けられているため、設置場所に制約を受けることが少なく、その分、ひな飾り台を設置し易く、更に、ひな人形を載せる台に加え、この台の搭載面積より小さい補助台を備えているため、飾る物品の量を増大させると共に、収納時のコンパクト化を図ることができる。すなわち、ひな飾り台の使用時にあっては、台本体よりスライド自在な補助台を引き出して補助台に内裏様、おひなさま以外のひな人形、雪洞、花、菱餅等を載せることができ、また、ひな飾り台の不使用時、つまり、ひな飾り台をしまうときにあっては、台の前縁部より前に突出した補助台の突出量を減らすように、台本体の内にスライドして、収納時のコンパクト化を図ることができる。
【０００７】
請求項２記載のひな飾り台によれば、前述した請求項１記載の発明の効果に加え、底板に取り付けられ、前記底板の台本体内に突出し、補助台の動きを規制するストッパ−と、前記補助台の裏面に溝が設けられ、前記補助台は前記溝に沿ってスライドし、前記ストッパ−が前記溝の壁に当接するため、補助台の動きが規制されて、前記補助台が前記台本体から離脱するのを防止することができる。
【実施例】
【０００８】
本発明の一実施例のひな飾り台を図面を参照して説明する。
図１乃至図８において、１はひな飾り台で、ひな飾り台１は、最上面に位置すると共に、ひな人形を載せる台11を有する台本体10を備えている。
【０００９】
台11は、図１及び図２に示すように、ひな人形、例えば、お内裏様２とおひな様３を並び設けるものである。台11の裏面側には、底板12が位置する。底板12は、台本体10の底部に位置し、台本体10の底部の全体に亙って設けられ、飾る場所（例えば、図３及び図４に示すサイドボ−ド14、サイドボ−ド14より幅の大きいサイドボ−ド14’、図示しない床の間等）に当接する。
また、台本体10内の両側壁の下側には、図８に示すように、二本のレ−ル10Ａ、10Ｂが設けられている。Ｓは底板12に取り付けられたストッパ−で、ストッパ−Ｓは、底板12の台本体10内に突出し、後述する補助台20の動きを規制するものである（図５乃至図７参照）。
【００１０】
20は底板12と台11との間に位置する補助台で、補助台20の搭載面積は台11の搭載面積より小さく、補助台20の後縁部20ａが台本体10の内に、補助台20の前縁部20ｂが台本体10の外に位置している。また、補助台20は、底板12の面と台11の面に平行にスライド自在であって、台11の前縁部11ｂより前に突出自在に設けられている。
また、補助台20の両側壁には、レ−ル10Ａ、10Ｂに案内される側壁溝20Ａ、20Ｂが設けられている。
更に、補助台20の裏面に溝20ｃが、例えば、複数設けられ、補助台20は溝20ｃに沿ってスライドし、ストッパ−Ｓが溝20ｃの壁Ｋに当接して、補助台20の動きが規制されて、補助台20が台本体10から離脱するのを防止することができる。
【００１１】
従来のような底板が空洞になっているものにあっては、ひな飾り台を載せる、例えば、サイドボ−ドの幅等に制約を受けるが、本実施例のひな飾り台１によれば、底板12は底部の全体に亙って設けられているため、設置場所に制約を受けることが少なく、その分、ひな飾り台１を設置し易く、更に、ひな人形を載せる台11に加え、この台11の搭載面積より小さい補助台20を備えているため、飾る物品（例えば、内裏様２、おひなさま３以外のひな人形、例えば、三人官女３、４、５、図示しない雪洞、花、菱餅等）の量を増大させると共に、収納時、補助台20を台本体10内に収納してひな飾り台１のコンパクト化を図ることができる。
【００１２】
すなわち、ひな飾り台１の使用時にあっては、台本体10よりスライド自在な補助台20を引き出して補助台20に内裏様２、おひなさま３以外のひな人形（例えば、三人官女３、４、５）、図示しない雪洞、花、菱餅等を載せることができ、また、ひな飾り台１の不使用時、つまり、ひな飾り台１をしまうときにあっては、台11の前縁部11ｂより前に突出した補助台20の突出量を減らすように、台本体10の内にスライドして、収納時のコンパクト化を図ることができる。
【００１３】
また、台本体10より補助台20を引き出す際、補助台20は溝20ｃに沿ってスライドし、ストッパ−Ｓが溝20ｃの壁Ｋに当接するため、補助台20の動きが規制されて、補助台20が台本体10から離脱するのを防止することができる。
【図面の簡単な説明】
【００１４】
【図１】図１は、本発明の一実施例のひな飾り台の使用状態を示す概略的斜視図である。
【図２】図２は、図１のひな飾り台にひな人形を搭載した状態を示す概略的斜視図である。
【図３】図３は、図１のひな飾り台の概略的底面図である。
【図４】図４は、図１のひな飾り台を載置した状態を示す概略的正面図である。
【図５】図５は、図１のひな飾り台の補助台を底面側から見た概略的斜視図である。
【図６】図６は、図３のＸ−Ｘ線による概略的断面図である。
【図７】図７は、図６のひな飾り台の補助台を引き出した状態を示す概略的断面図である。
【図８】図８は、図３のＹ−Ｙ線による概略的断面図である。
【符号の説明】
【００１５】
１  ・・・・・ひな飾り台
10  ・・・・・台本体
11  ・・・・・台
11ｂ・・・・・台の前縁部                                                        12  ・・・・・底板
20  ・・・・・補助台
【図１】
2005329036.tif 000003
【図２】
2005329036.tif 000004
【図３】
2005329036.tif 000005
【図４】
2005329036.tif 000006
【図５】
2005329036.tif 000007
【図６】
2005329036.tif 000008
【図７】
2005329036.tif 000009
【図８】
2005329036.tif 000010